(57)【要約】      （修正有）【課題】複数個の収納ケースを積み重ねた状態において、凹溝部と嵌合凸部との嵌合により、上段の収納ケースの前後方向及び左右方向への滑り落ちを防ぐことができ、積み重ねの安定性を高めることができる収納ケースを提供する。【解決手段】底板１ａ、左右の側板１ｂ、後板１ｃからなる前面及び上面が開口した合成樹脂製の枠本体１と、枠本体の上面を覆う合成樹脂製の天板体２と、枠本体の前面の開口を介して引出収納自在に設けられ、底板３ａ、前板３ｂ、左右の側板、後板３ｄからなる上面が開口した合成樹脂製の引出体３とからなる。天板体の上面前後部にそれぞれ凹溝部８・８を形成し、凹溝部は両端部８ａ・８ａを有する長溝状に形成され、枠本体の底板の外底面前後部にそれぞれ前後の各凹溝部に摺動自在に嵌合可能な嵌合凸部９・９を形成してなる。【選択図】図１
0003186036.tif 000002
【実用新案登録請求の範囲】
【請求項１】
底板、左右の側板、後板からなる前面及び上面が開口した合成樹脂製の枠本体と、該枠本体の上面を覆う合成樹脂製の天板体と、該枠本体の前面の開口を介して引出収納自在に設けられ、底板、前板、左右の側板、後板からなる上面が開口した合成樹脂製の引出体とからなり、上記天板体の上面前後部にそれぞれ凹溝部を形成し、該凹溝部は両端部を有する長溝状に形成され、該枠本体の底板の外底面前後部にそれぞれ前後の各凹溝部に摺動自在に嵌合可能な嵌合凸部を形成してなることを特徴とする収納ケース。
【請求項２】
底板、左右の側板、後板からなる前面及び上面が開口し、上下に積み重ね可能な複数個の合成樹脂製の枠本体と、該積み重ねられた最上位の枠本体の上面を覆う合成樹脂製の天板体と、該複数個の枠本体の前面の開口を介してそれぞれ引出収納自在に設けられ、底板、前板、左右の側板、後板からなる上面が開口した合成樹脂製の引出体とからなり、上記天板体の上面前後部にそれぞれ凹溝部を形成し、該凹溝部は両端部を有する長溝状に形成され、該枠本体の底板の外底面前後部にそれぞれ前後の各凹溝部に摺動自在に嵌合可能な嵌合凸部を形成してなることを特徴とする収納ケース。
【請求項３】
上記引出体の前部に該引出体内の内容物を表示する表示札やメモ厚紙等の表示材を取替収納可能な収納ポケット部を形成してなることを特徴とする請求項１又は２記載の収納ケース。
【考案の詳細な説明】
【技術分野】
【０００１】
本考案は、例えば一般家庭に設置されて衣類や各種小物類等を整理収納する際に用いられる収納ケースに関するものである。
【背景技術】
【０００２】
従来、この種の収納ケースとして、前面及び上面が開口した合成樹脂製の枠本体と、枠本体の上面を覆う合成樹脂製の天板体と、枠本体の前面の開口を介して引出収納自在に設けられ、上面が開口した合成樹脂製の引出体とからなる構造のものが知られている。
【先行技術文献】
【特許文献】
【０００３】
【特許文献１】実用新案登録第３１７５８２７号
【考案の概要】
【考案が解決しようとする課題】
【０００４】
しかしながらこれら従来構造の場合、上記天板体の上面前後部にそれぞれ凹溝部が形成され、枠本体の底板の外底面前後部にそれぞれ前後の各凹溝部に摺動自在に嵌合可能な嵌合凸部が形成され、複数個の収納ケースを積み重ねた状態において、凹溝部と嵌合凸部との嵌合により上段の収納ケースの前側及び後側への滑り落ちを防ぐことができるものの、上記凹溝部はその両端部が無い開放端となっているから、収納物の重量や偏り、枠本体のサイズの相異等によって、希に、収納ケースが左側又は右側に滑り落ちることがあるという不都合を有している。
【課題を解決するための手段】
【０００５】
本考案はこれらの不都合を解決することを目的とするもので、本考案のうちで、請求項１記載の考案は、底板、左右の側板、後板からなる前面及び上面が開口した合成樹脂製の枠本体と、該枠本体の上面を覆う合成樹脂製の天板体と、該枠本体の前面の開口を介して引出収納自在に設けられ、底板、前板、左右の側板、後板からなる上面が開口した合成樹脂製の引出体とからなり、上記天板体の上面前後部にそれぞれ凹溝部を形成し、該凹溝部は両端部を有する長溝状に形成され、該枠本体の底板の外底面前後部にそれぞれ前後の各凹溝部に摺動自在に嵌合可能な嵌合凸部を形成してなることを特徴とする収納ケースにある。
【０００６】
又、請求項２記載の考案は、底板、左右の側板、後板からなる前面及び上面が開口し、上下に積み重ね可能な複数個の合成樹脂製の枠本体と、該積み重ねられた最上位の枠本体の上面を覆う合成樹脂製の天板体と、該複数個の枠本体の前面の開口を介してそれぞれ引出収納自在に設けられ、底板、前板、左右の側板、後板からなる上面が開口した合成樹脂製の引出体とからなり、上記天板体の上面前後部にそれぞれ凹溝部を形成し、該凹溝部は両端部を有する長溝状に形成され、該枠本体の底板の外底面前後部にそれぞれ前後の各凹溝部に摺動自在に嵌合可能な嵌合凸部を形成してなることを特徴とする収納ケースにある。
【０００７】
又、請求項３記載の考案は、上記引出体の前部に該引出体内の内容物を表示する表示札やメモ厚紙等の表示材を取替収納可能な収納ポケット部を形成してなることを特徴とするものである。
【考案の効果】
【０００８】
本考案は上述の如く、請求項１記載の考案にあっては、上記引出体を枠本体の前面の開口を介して引出収納して衣類や各種小物類等を整理収納することになり、この際、上記天板体の上面前後部にそれぞれ凹溝部が形成され、凹溝部は両端部を有する長溝状に形成され、枠本体の底板の外底面前後部にそれぞれ前後の各凹溝部に摺動自在に嵌合可能な嵌合凸部が形成されているから、複数個の収納ケースを積み重ねた状態において、凹溝部と嵌合凸部との嵌合により、上段の収納ケースの前後方向及び左右方向への滑り落ちを防ぐことができ、積み重ねの安定性を高めることができる。
【０００９】
又、請求項２記載の考案にあっては、上記最上位の枠本体の上面を覆う合成樹脂製の天板体の上面前後部にそれぞれ凹溝部が形成され、凹溝部は両端部を有する長溝状に形成され、枠本体の底板の外底面前後部にそれぞれ前後の各凹溝部に摺動自在に嵌合可能な嵌合凸部が形成されているから、複数個の収納ケースを積み重ねた状態において、凹溝部と嵌合凸部との嵌合により、上段の収納ケースの前後方向及び左右方向への滑り落ちを防ぐことができ、積み重ねの安定性を高めることができる。
【００１０】
又、請求項３記載の考案にあっては、上記引出体の前部に引出体内の内容物を表示する表示札やメモ厚紙等の表示材を取替収納可能な収納ポケット部が形成されているから、文字、模様、色彩等の区別可能な数種類の表示材を用意し、例えば、親と子供、男性と女性等に応じて表示材を選択的に取り替えて配置することにより引出体内の収納物を認識することができる。
【図面の簡単な説明】
【００１１】
【図１】本考案の実施の第一形態例の全体斜視図である。
【図２】本考案の実施の第一形態例の分離斜視図である。
【図３】本考案の実施の第一形態例の全体斜視図である。
【図４】本考案の実施の第一形態例の全体断面図である。
【図５】本考案の実施の第一形態例の部分斜視図である。
【図６】本考案の実施の第一形態例の部分平面図である。
【図７】本考案の実施の第一形態例の使用状態図である。
【図８】本考案の実施の第一形態例の部分横断面図である。
【図９】本考案の実施の第一形態例の部分側断面図である。
【図１０】本考案の実施の第一形態例の部分側断面図である。
【図１１】本考案の実施の第二形態例の説明正面図である。
【図１２】本考案の実施の第二形態例の説明正面図である。
【図１３】本考案の実施の第三形態例の全体斜視図である。
【図１４】本考案の実施の第三形態例の部分縦断面図である。
【図１５】本考案の実施の第三形態例の使用状態図である。
【考案を実施するための形態】
【００１２】
図１乃至図１５は本考案の実施の形態例を示し、図１乃至図１０は請求項１の考案に対応する第一形態例、図１１、図１２は請求項１の考案に対応する第二形態例、図１３乃至図１５は請求項２の考案に対応する第三形態例である。
【００１３】
図１乃至図１０の第一形態例において、１は枠本体であって、図１、図２の如く、合成樹脂製にして、底板１ａ、左右の側板１ｂ・１ｂ、後板１ｃからなり、前面及び上面が開口した枠状に形成されている。
【００１４】
２は天板体であって、合成樹脂製にして、上記枠本体１の上面を覆う形状に形成され、説明を省略しているが、枠本体１に係止穴及び係止爪との係止により着脱自在に連結されている。
【００１５】
３は引出体であって、この場合、図２、図４、図５の如く、合成樹脂製にして、底板３ａ、前板３ｂ、左右の側板３ｃ・３ｃ、後板３ｄからなり、上面が開口した容器状に形成され、上記枠本体１の前面の開口を介して引出収納自在に設けられている。
【００１６】
４・４はレール溝部であって、図２、図３の如く、上記枠本体１の底板１ａの内底面の左右両側にそれぞれ引出体３の引出収納方向Ｔに延びて凹条状に形成されている。
【００１７】
５・５はガイド壁部であって、図２、図４の如く、上記枠本体１の底板１ａの内底面の左右両側にそれぞれ各レール溝部４・４の外方位置にして上記引出体３の左右の側板３ｃ・３ｃの外側面に摺動可能に形成されている。
【００１８】
６・６はガイド突部であって、図２の如く、上記引出体３の底板３ａの外底面後部左右両側にそれぞれ左右両側のレール溝部４・４に摺動自在に嵌合可能に形成され、この場合、半円弧板状のかまぼこ板状に突出形成している。
【００１９】
７は収納ポケット部であって、図５、図６の如く、上記引出体３の前部に引出体３内の内容物を表示する表示札やメモ厚紙等の表示材Ｈを取替収納可能に形成し、この場合、上記引出体３の左右の側板３ｃ・３ｃの内側面の前部に上記表示材Ｈの裏面の左右縁部にそれぞれ係止可能な左右一対の保持壁部７ａ・７ａを形成し、引出体３の底板３ａの内底面の前部に表示材Ｈの裏面の下縁部に係止可能な保持凸部７ｂを形成して構成している。
【００２０】
８・８は凹溝部、９・９は嵌合凸部であって、図１、図４、図８、図９の如く、上記天板体２の上面前後部にそれぞれ凹溝部８・８が形成され、凹溝部８・８は両端部８ａ・８ａを有する長溝状に形成され、枠本体１の底板１ａの外底面前後部にそれぞれ前後の各凹溝部８・８に摺動自在に嵌合可能な嵌合凸部９・９が形成されている。この場合、前側の嵌合凸部９にゴム足部９ａが設けられ、かつ、前側の嵌合凸部９及び後側の嵌合凸部９に並設してキャスター取付部９ｂ・９ｂを設けている。
【００２１】
この実施の第一形態例は上記構成であるから、図１、図５の如く、上記引出体３を枠本体１の前面の開口を介して引出収納して衣類や各種小物類等を整理収納することになり、この際、図１、図４の如く、上記天板体２の上面前後部にそれぞれ凹溝部８・８が形成され、凹溝部８・８は両端部８ａ・８ａを有する長溝状に形成され、枠本体１の底板１ａの外底面前後部にそれぞれ前後の各凹溝部８・８に摺動自在に嵌合可能な嵌合凸部９・９が形成されているから、図７、図８、図９、図１０の如く、複数個の収納ケースを積み重ねた状態において、凹溝部８・８と嵌合凸部９・９との嵌合により、上段の収納ケースの前後方向及び左右方向への滑り落ちを防ぐことができ、積み重ねの安定性を高めることができる。
【００２２】
この場合、図５、図６の如く、上記引出体３の前部に引出体３内の内容物を表示する表示札やメモ厚紙等の表示材Ｈを取替収納可能な収納ポケット部７が形成されているから、文字、模様、色彩等の区別可能な数種類の表示材Ｈを用意し、例えば、親と子供、男性と女性等に応じて表示材Ｈを選択的に取り替えて配置することにより引出体３内の収納物を認識することができ、かつ、この場合、引出体３の前板３ｂを透明材又は半透明材で形成することにより、引出体３を引き出さずとも外部から視認することができ、使用の利便性を高めることができ、さらに、この場合、上記引出体３の左右の側板３ｃ・３ｃの内側面の前部に上記表示材Ｈの裏面の左右縁部にそれぞれ係止可能な左右一対の保持壁部７ａ・７ａを形成し、引出体３の底板３ａの内底面の前部に表示材Ｈの裏面の下縁部に係止可能な保持凸部７ｂを形成して構成しているから、表示材Ｈを確実に収納することができる。
【００２３】
又、この場合、図２、図３、図４、図５の如く、上記枠本体１の底板１ａの内底面の左右両側にそれぞれ凹条状のレール溝部４・４が形成され、枠本体１の底板１ａの内底面の左右両側にそれぞれ各レール溝部４・４の外方位置にして上記引出体３の左右の側板３ｃ・３ｃの外側面に摺動可能なガイド壁部５・５が形成され、引出体３の底板３ａの外底面後部左右両側にそれぞれ左右両側のレール溝部４・４に摺動自在に嵌合可能なガイド突部６・６が形成されているから、図３、図４、図６の如く、引出体３は引出体３の左右の側板３ｃ・３ｃの外側面とガイド壁部５・５との摺動案内及びレール溝部４・４とガイド突部６・６との摺動により引出収納されることになり、この摺動案内及び摺動により引出体３を枠本体１に対して容易に引出収納することができ、使用の利便性を高めることができる。
【００２４】
図１１、図１２の第二形態例は別例構造を示し、この場合、横幅サイズＢが二倍、三倍の大中小の三サイズの収納ケースＢ・２Ｂ、３Ｂを形成し、枠本体１の外側面から凹溝部８の両端部８ａ・８ａまでの距離ｄをそれぞれ共通寸法に形成し、これにより凹溝部８の長溝の長さをＫ（＝Ｂ−２ｄ）、２Ｋ（＝２Ｂ−２ｄ）、３Ｋ（＝３Ｂ−２ｄ）に形成している。
【００２５】
この第二形態例にあっては、図１２の如く、小サイズの収納ケースＢを六個、中サイズの収納ケース２Ｂを三個、大サイズの収納ケース３Ｂを二個用意することにより、横幅６Ｂとなる各々の大中小の三サイズの収納ケースを正面矩形状に整然と積み重ねることができ、このように、横幅サイズＢの異なる収納ケースを用意し、これら収納ケースを上下に積み重ねることにより、引出体３の引出収納方向Ｔに直交する方向の配置位置を自由に変更することができ、積み重ねの配置位置の融通性を高めることができ、各種の使用態様、設置位置、各種の収納物等に応じて積み重ねの配置位置を変えることができ、収納ケースの使用位置の融通性及び使用の利便性を高めることができる。
【００２６】
図１３、図１４、図１５の第三形態例は別例構造を示し、この場合、上記第一形態例と同様な底板１ａ、左右の側板１ｂ・１ｂ、後板１ｃからなる前面及び上面が開口した枠本体１を上下に複数個、この場合、二個積み重ね、最上位の枠本体１の上面を天板体２で覆い形成し、各枠本体１・１に前面の開口を介して合成樹脂製の二個の引出体３・３を引出収納自在に設けてなり、上記複数個の枠本体１・１の底板１ａの内底面の左右両側にそれぞれ凹条状のレール溝部４・４が形成され、枠本体１・１の底板１ａの内底面の左右両側にそれぞれ各レール溝部４・４の外方位置にして上記引出体３・３の左右の側板３ｃ・３ｃの外側面に摺動可能なガイド壁部５・５が形成され、引出体３・３の底板３ａの外底面後部左右両側にそれぞれ左右両側のレール溝部４・４に摺動自在に嵌合可能なガイド突部６・６が形成されている。
【００２７】
又、この場合、図１３、図１４の如く、上記最上位の枠本体１の上面を覆う合成樹脂製の天板体２の上面前後部にそれぞれ凹溝部８・８が形成され、凹溝部８・８は両端部８ａ・８ａを有する長溝状に形成され、枠本体１の底板１ａの外底面前後部にそれぞれ前後の各凹溝部８・８に摺動自在に嵌合可能な嵌合凸部９・９が形成されている。
【００２８】
この実施の第三形態例にあっても、上記第一形態例と同様に、各引出体３・３は引出体３・３の左右の側板３ｃ・３ｃの外側面とガイド壁部５・５との摺動案内及びレール溝部４・４とガイド突部６・６との摺動により引出収納されることになり、この摺動案内及び摺動により引出体３・３を枠本体１・１に対して容易に引出収納することができ、使用の利便性を高めることができる。
【００２９】
又、この場合、図１４、図１５の如く、上記最上位の枠本体１の上面を覆う合成樹脂製の天板体２の上面前後部にそれぞれ凹溝部８・８が形成され、凹溝部８・８は両端部８ａ・８ａを有する長溝状に形成され、枠本体１の底板１ａの外底面前後部にそれぞれ前後の各凹溝部８・８に摺動自在に嵌合可能な嵌合凸部９・９が形成されているから、図１５の如く、複数個の収納ケースを積み重ねた状態において、凹溝部８・８と嵌合凸部９・９との嵌合により、上段の収納ケースの前後方向及び左右方向への滑り落ちを防ぐことができ、積み重ねの安定性を高めることができ、かつ、横幅サイズＢの異なる収納ケースを用意し、これら収納ケースを上下に積み重ねたとき、引出体３の引出収納方向Ｔに直交する方向の配置位置を自由に変更することができ、積み重ねの配置位置の融通性を高めることができ、各種の使用態様、設置位置、各種の収納物等に応じて積み重ねの配置位置を変えることができ、収納ケースの使用位置の融通性及び使用の利便性を高めることができる。
【００３０】
尚、本考案は上記実施の形態例のものに限られるものではなく、例えば、枠本体１の数、段数、大きさ、引出体３の個数、構造は用途に応じて定められる。
【００３１】
以上の如く、所期の目的を充分達成することができる。
【符号の説明】
【００３２】
Ｈ    表示材
１    枠本体
１ａ    底板
１ｂ    側板
１ｃ    後板
２    天板体
３    引出体
３ａ    底板
３ｂ    前板
３ｃ    側板
３ｄ    後板
７    収納ポケット部
８    凹溝部
８ａ    両端部
９    嵌合凸部
【図１】
0003186036.tif 000003
【図２】
0003186036.tif 000004
【図３】
0003186036.tif 000005
【図４】
0003186036.tif 000006
【図５】
0003186036.tif 000007
【図６】
0003186036.tif 000008
【図７】
0003186036.tif 000009
【図８】
0003186036.tif 000010
【図９】
0003186036.tif 000011
【図１０】
0003186036.tif 000012
【図１１】
0003186036.tif 000013
【図１２】
0003186036.tif 000014
【図１３】
0003186036.tif 000015
【図１４】
0003186036.tif 000016
【図１５】
0003186036.tif 000017